(57)【要約】【課題】ハーネスの有無や、作業者によるハンドルの把持状態に関係なく、とっさの時にエンジンを確実に停止できる刈払機を提供すること。  【解決手段】  刈払機１において、緊急時にエンジンを停止させる停止スイッチ１０を設けた。この停止スイッチ１０は、刈払機１側に取り付けられるスイッチ本体と、このスイッチ本体に係脱自在に設けられたキャップ１４と、このキャップ１４と作業者とを繋ぐ紐１５とで構成されているとともに、紐１５を介してキャップ１４が所定の大きさ以上の引張力で引かれることでスイッチ本体から外れ、かつキャップ１４がスイッチ本体から外れることによりエンジンが停止するように設けられている。【選択図】図１
2008118960.tif 000002
【特許請求の範囲】
【請求項１】
刈払機において、
エンジン停止用の停止スイッチを備えており、
この停止スイッチは、刈払機側に取り付けられるスイッチ本体と、このスイッチ本体に係脱自在に設けられたキャップと、このキャップと作業者とを繋ぐ紐とで構成されているとともに、前記紐を介して前記キャップが引かれることで当該キャップがスイッチ本体から外れ、かつ前記キャップが前記スイッチ本体から外れることにより前記エンジンが停止するように設けられている
ことを特徴とする刈払機。
【発明の詳細な説明】
【技術分野】
【０００１】
本発明は、刈払機に関し、特にとっさの事態においてエンジンを停止できるようにした刈払機に関する。
【背景技術】
【０００２】
従来、草刈に用いられる携帯型の刈払機として、アウターパイプに肩掛けハーネスを取り付け、このハーネスにより作業者が肩に吊しながら使用するものがある。このような刈払機において、何らかの理由で緊急事態が生じた時、早急にエンジンを停止させることが要求される場合がある。
【０００３】
このような要求を満足させるために、ハーネスとアウターパイプとの係合をピンの抜き操作によって容易に解除するとともに、この係合解除に連動してエンジン停止スイッチを動作させることが提案されている（特許文献１）。この提案によれば、とっさの事態には、ピンを引き抜くだけで刈払機を作業者から切り離すことができ、かつエンジンをも確実に停止させることができる。
【０００４】
【特許文献１】特開昭６４−６３３１５号公報
【発明の開示】
【発明が解決しようとする課題】
【０００５】
しかしながら、とっさの事態に反応してピンを即座に抜き取ることは困難であり、現実的ではない。特に刈払機が作業者側に跳ね返るような動きをした場合など、作業者は無意識のうちにハンドルを強く握りしめ、その動きに対抗しようとするのであり、ピンを抜き取る余裕がない。また、特許文献１によれば、ピンを抜き取ると、刈払機が必然的にハーネスから外れるため、刈払機を肩に掛けて支持した状態を維持できず、刈払機を手放す必要がない場合にはかえって不都合である。
【０００６】
本発明の目的は、ハーネスの有無や、作業者によるハンドルの把持状態に関係なく、とっさの時にエンジンを確実に停止できる刈払機を提供することにある。
【課題を解決するための手段】
【０００７】
本発明の請求項１に係る刈払機は、エンジン停止用の停止スイッチを備えており、この停止スイッチは、刈払機側に取り付けられるスイッチ本体と、このスイッチ本体に係脱自在に設けられたキャップと、このキャップと作業者とを繋ぐ紐とで構成されているとともに、前記紐を介して前記キャップが引かれることで当該キャップがスイッチ本体から外れ、かつ前記キャップが前記スイッチ本体から外れることにより前記エンジンが停止するように設けられていることを特徴とする。
【発明の効果】
【０００８】
以上において、請求項１の発明によれば、紐に所定の大きさ以上の引張力が作用するような緊急事態が生じた場合には、この紐を介してキャップがスイッチ本体から外れ、停止スイッチが機能してエンジンを停止させることができる。この際、紐の長さを予め調整しておくとともに、紐を作業者に対して適正な位置に繋いでおくことにより、ハーネスの有無や、作業者によるハンドルあるいはグリップの把持状態に関係なく停止スイッチを機能させることができ、本発明の目的を達成できる。
【発明を実施するための最良の形態】
【０００９】
以下、本発明の一実施形態を図面に基づいて説明する。
図１において、刈払機１は、アウターパイプ２に両手ハンドル３が取り付けられているタイプであり、アウターパイプ２の基端側（作業者に対して後方側の端部）にはエンジン２０（図４）を有した動力部４が設けられている。アウターパイプ２の内部にはエンジン２０からの動力を遠心クラッチを介して先端側（作業者に対して前方側）に伝達する伝達部材が収容されており、伝達された動力によって刈刃５が回転駆動される。
【００１０】
また、アウターパイプ２において、ハンドル３の後方側には係合部６が設けられており、この係合部６に肩掛けハーネス７のフック７Ａが係合されている。作業者は常時フック７Ａを係合部６に係合させた状態でハーネス７を肩に掛け、刈払機１を肩から吊した状態にしてハンドル３を握り、草刈作業を行う。
【００１１】
そして、ハンドル３の一方のグリップ部分にはスロットルレバー８およびエンジン２０をオン・オフするためのエンジンスイッチ９（図４）が設けられており、作業を行う時には、エンジンスイッチ９をオンにし、エンジン２０を始動させ、スロットルレバー８でエンジン回転数を調整しながら草を刈る。
【００１２】
ところで、作業中に刈刃５が大きな石等にぶつかった場合など、そのぶつかり方によっては刈払機１が作業者側に一瞬にして跳ね返される場合があり（例えば図１中の矢印参照）、刈刃５が作業者の間近に迫る事態が生じる。このような場合は、エンジン２０を即座に停止させ、駆動力が刈刃５に伝達されないようにすることが望まれる。そこで、本実施形態では、そのような緊急な事態が生じた場合に、エンジン２０が確実に停止するよう、停止スイッチ１０が設けられている。
【００１３】
停止スイッチ１０は、図２に示すように、ハンドル３に適宜な取付具１１およびブラケット１２を介して取り付けられており、ハンドル３およびアウターパイプ２の連結部分の近傍に位置している。このような停止スイッチ１０は、ブラケット１２側に固定されたスイッチ本体１３と、スイッチ本体１３に対して係脱自在に設けられたキャップ１４とを備え、キャップ１４には紐１５が取り付けられ、紐１５の先端にはフック１６（図１）が取り付けられている。
【００１４】
停止スイッチ１０のキャップ１４は例えば硬めの合成ゴム製であり、わずかに弾性を有している。キャップ１４の開口部１４Ａの内側には、図３に示すように、径方向の中央に向かって突出した凸部１４Ｂが周方向に連続して設けられ、この凸部１４Ｂがスイッチ本体１３の嵌合部１７に設けられた嵌合溝１７Ａに嵌め込まれるようになっている（図２の状態）。キャップ１４が紐１５によって所定の大きさ以上の引張力で引かれると、凸部１４Ｂが嵌合溝１７Ａから外れ、キャップ１４がスイッチ本体１３から離れる（図３の状態）。
【００１５】
ここで、スイッチ本体１３内には、ばね２３（図４）により図中の上方に付勢された付勢部材１８が設けられている。また、キャップ１４内には、スイッチ本体１３に嵌合した状態で付勢部材１８を押圧する押圧部１９が設けられている。この構造を、図４の回路図をも参照して説明する。図４において、動力部４のエンジン２０には点火プラグ２１が設けられ、この点火プラグ２１にはエンジン２０の動作に連動して発電するマグネトの点火コイル２２から電流が供給される。
【００１６】
スイッチ本体１３内の付勢部材１８は、オン・オフスイッチとして機能する。すなわち、キャップ１４がスイッチ本体１３に嵌め込まれている状態では、付勢部材１８が押圧部１９で押圧されることで、ばね２３が縮んで回路が開放し、スイッチ機能としてはオン状態となって点火コイル２２からの電流は点火プラグ２１に供給され、エンジン２０が稼動する。反対に、スイッチ本体１３からキャップ１４が外れると（図３、図４の状態）、付勢部材１８がばね２３で付勢されて回路が閉じ、点火コイル２２とエンジン２０とが短絡してスイッチ機能としてはオフ状態となり、エンジン２０が停止する。
【００１７】
なお、エンジンスイッチ９も、オン状態で点火コイル２２とエンジン２０側とを切り離し、オフ状態で互いを短絡させるように構成されている。図４で示した状態は、オン状態である。オフ状態ではやはり、点火コイル２２とエンジン２０とが短絡するため、電流が点火コイル２２側には流れず、エンジン２０は停止状態となる。
【００１８】
図１に戻って、キャップ１４に取り付けられた紐１５は、所定の長さに調整され、作業者に対して刈払機１が位置する側とは反対側の腰の辺りに繋がれる。これにより、紐１５には作業中に多少の引張力が作用するが、キャップ１４が硬めの弾性を有することで、多少の引張力では作業中にキャップ１４がスイッチ本体１３から外れることはなく、また、作業性を阻害する程に紐１５が緊張することもない。
【００１９】
本実施形態によれば、図１のような姿勢で作業をしている時、何らかの理由で刈払機１が矢印方向に大きく跳ね返された場合、紐１５に作用する引張力が増してキャップ１４がスイッチ本体１３から外れ、エンジン２０を確実に停止させることができるのである。
【００２０】
なお、本発明は、前記実施形態に限定されるものではなく、本発明の目的を達成できる他の構成等を含み、以下に示すような変形等も本発明に含まれる。
例えば、前記実施形態では、刈払機１にハーネス７が取り付けられていたが、そのようなハーネスが用いられない場合でも、本発明に係る停止スイッチを適用できる。このような場合には、刈払機を放り出さなければならない事態が生じた場合にも、放り出した時点でキャップがスイッチ本体から外れることになり、停止スイッチを作動させてエンジンを停止させることができる。
【００２１】
前記実施形態では、両手ハンドル３が用いられていたが、本発明の刈払機に適用されるハンドルとしてはループハンドルやバーハンドルでもよく、またハンドルを用いる代わりにツーグリップタイプのアウターパイプを用いてもよい。
【００２２】
前記実施形態では、紐１５の先端を作業者に対して刈払機１とは反対側の腰の辺りに繋いでいたが、これに限らず、例えば図１の姿勢であれば、作業者の左腿あたりであってもよく、停止スイッチが良好に機能する任意の箇所に繋ぐことができる。また、刈払機が放り出された場合のみを考慮するのであれば、腰や腿のあたりに限らず、作業性を勘案してより適切な位置（作業の邪魔にならない位置）に繋ぐことができる。
【００２３】
一方、刈払機での停止スイッチの取付位置も前記実施形態に限定されるものではなく、紐のつなぎ箇所等との関係で適切な位置に取り付けることができるのは勿論である。
【産業上の利用可能性】
【００２４】
本発明は、緊急事態にエンジンを即座に停止させようとする場合の刈払機に好適に利用できる。
【図面の簡単な説明】
【００２５】
【図１】本発明の一実施形態に係る刈払機の使用状態を示す図。
【図２】刈払機の要部を示す拡大図。
【図３】停止スイッチのスイッチ本体からキャップが外れた状態を示す図。
【図４】刈払機の電気回路を示す図。
【符号の説明】
【００２６】
１…刈払機、１０…停止スイッチ、１３…スイッチ本体、１４…キャップ、１５…紐、２０…エンジン。
【図１】
2008118960.tif 000003
【図２】
2008118960.tif 000004
【図３】
2008118960.tif 000005
【図４】
2008118960.tif 000006